(57)【要約】【課題】補助錠の浮き上がりを抑制することができるとともに、ハンドル部材の取り外しが容易な建具及び補助錠の施工方法を提供する。【解決手段】枠体と、枠体の内部に開閉自在に設けられた障子と、枠体及び障子の框体のいずれか一方に設けられた補助錠４と、を備え、補助錠４は、枠体及び框体のいずれか一方に設けられた取付孔２６ｈ内に配置される基部４１と、基部４１に設けられ、枠体及び框体の他方に係止可能なロック部４２と、を有するロック部材４０と、ロック部４２を操作可能な操作ハンドル８０を有し、取付孔２６ｈ内に配置されるハンドル部材６０と、ロック部材４０とハンドル部材６０との間に配置されるアタッチメント５０と、を備え、アタッチメント５０は、基部４１を、ハンドル部材６０から離間する方向に押圧することを特徴とする。【選択図】図４
2018091054.tif 000002
【特許請求の範囲】
【請求項１】
枠体と、
該枠体の内部に開閉自在に設けられた障子と、
前記枠体及び前記障子の框体のいずれか一方に設けられた補助錠と、を備え、
該補助錠は、
前記枠体及び前記框体のいずれか一方に設けられた取付孔内に配置される基部と、該基部に設けられ、前記枠体及び前記框体の他方に係止可能なロック部と、を有するロック部材と、
前記ロック部を操作可能な操作ハンドルを有し、前記取付孔内に配置されるハンドル部材と、
前記ロック部材と前記ハンドル部材との間に配置されるアタッチメントと、を備え、
該アタッチメントは、前記基部を、前記ハンドル部材から離間する方向に押圧することを特徴とする建具。
【請求項２】
前記アタッチメントには、前記枠体及び前記框体のいずれか一方に係止可能な係止部が設けられている請求項１に記載の建具。
【請求項３】
前記ハンドル部材は、前記操作ハンドルが収容される筐体を有し、
前記アタッチメントは前記筐体の外周に沿って嵌合されている請求項１または２に記載の建具。
【請求項４】
枠体と、該枠体の内部に開閉自在に設けられた障子と、を備える建具の前記枠体及び前記障子の框体のいずれか一方に、補助錠を取り付ける補助錠の建具への取付方法であって、
前記枠体及び前記框体の他方に係止可能なロック部が設けられた基部を、前記枠体及び前記框体のいずれか一方に設けられた取付孔内に取り付けるロック部材取付工程と、
前記ロック部を操作可能な操作ハンドルを有するハンドル部材にアタッチメントを嵌合させる嵌合工程と、
前記取付孔内に、前記アタッチメントが嵌合した前記ハンドル部材を配置して、前記アタッチメントが前記ハンドル部材から離間する方向に押圧するように取り付けるハンドル部材取付工程と、を備えることを特徴とする補助錠の建具への取付方法。
【発明の詳細な説明】
【技術分野】
【０００１】
本発明は、構造物の開口部に設けられる建具及び補助錠の建具への取付方法に関するものである。
【背景技術】
【０００２】
従来から、引違いサッシや縦辷り出し窓等の建具として、枠体と、枠体内に開閉可能に納められて障子と、障子を施錠するメインロック（主錠）及びサブロック（補助錠）と、を備えてものが知られている。
【０００３】
縦辷り出し窓等に設けられるサブロックとして、縦枠に設けられた取付穴内に配置され、操作ハンドルが設けられたハンドル部材と、縦枠に設けられ取付穴内で操作ハンドルの操作に連動して障子側に出没可能な鎌錠を有するロック部材と、を備えたものが知られている。
【０００４】
しかしながら、上記に示す縦辷り出し窓等に設けられるサブロックでは、ロック部材が見付け方向の内側に変位した位置に配置されると、ハンドル部材が縦枠から見付け方向の内側に離間して縦枠から浮き上がってしまうことがある。
【０００５】
下記の特許文献１では、サブロックとして、引き違い障子の一方の障子の下框に設けられた取付穴に配置されたケースと、ケース内に収容され屋内側に出没可能に設けられたストッパと、を備え、ストッパが突出し他方の障子の縦框に当接して、両方の障子の移動を規制するものが提案されている。取付穴内に配置されたケースの側面に設けられた凸条が、下框の取付穴の縁に係止することで、ケースが下框から屋内側への浮き上がることが抑制される構成とされている。
【先行技術文献】
【特許文献】
【０００６】
【特許文献１】特開２００２−１３３２１号公報
【発明の概要】
【発明が解決しようとする課題】
【０００７】
上記に示す縦辷り出し窓に設けられるサブロックでは、メンテナンスの際にハンドル部材を交換することがある。しかしながら、上記の特許文献１に記載の建具のように、取付穴内に配置された凸条が下框の開口部の縁部を係止している構成では、ケースやハンドル部材等の部材を取付穴から取り外す際に、凸条が下框に干渉して取り外すことが困難であるという問題点がある。
【０００８】
そこで、本発明は、上記事情に鑑みてなされたものであり、補助錠の浮き上がりを抑制することができるとともに、ハンドル部材の取り外しが容易な建具及び補助錠の建具への取付方法を提供する。
【課題を解決するための手段】
【０００９】
上記目的を達成するために、本発明は以下の手段を採用している。
すなわち、本発明に係る建具は、枠体と、該枠体の内部に開閉自在に設けられた障子と、前記枠体及び前記障子の框体のいずれか一方に設けられた補助錠と、を備え、該補助錠は、前記枠体及び前記框体のいずれか一方に設けられた取付孔内に配置される基部と、該基部に設けられ、前記枠体及び前記框体の他方に係止可能なロック部と、を有するロック部材と、前記ロック部を操作可能な操作ハンドルを有し、前記取付孔内に配置されるハンドル部材と、前記ロック部材と前記ハンドル部材との間に配置されるアタッチメントと、を備え、該アタッチメントは、前記基部を、前記ハンドル部材から離間する方向に押圧することを特徴とする。
【００１０】
このように構成された建具では、アタッチメントがロック部材の基部をハンドル部材から離間する方向に押圧するため、補助錠が設けられる枠体及び框体のいずれか一方から補助錠が浮き上がることが抑制される。また、ハンドル部材は取付孔に配置される構成であればよく、例えばハンドル部材自体を枠体及び框体のいずれか一方に係止させる必要がなく、ハンドル部材とアタッチメントとは別体であるため、ハンドル部材のみを容易に取り外すことができる。
【００１１】
また、本発明に係る建具は、前記アタッチメントには、前記枠体及び前記框体のいずれか一方に係止可能な係止部が設けられていることが好ましい。
【００１２】
このように構成された建具では、アタッチメントには枠体及び框体のいずれか一方に係止可能な係止部が設けられている。よって、アタッチメントが枠体及び框体のいずれか一方に係止された状態で、アタッチメントがロック部材の基部をハンドル部材から離間する方向に押圧するため、補助錠が設けられる枠体及び框体のいずれか一方から補助錠が浮き上がることが確実に抑制される。
【００１３】
また、本発明に係る建具では、前記ハンドル部材は、前記操作ハンドルが収容される筐体を有し、前記アタッチメントは前記筐体の外周に沿って嵌合されていてもよい。
【００１４】
このように構成された建具では、アタッチメントを操作ハンドルの筐体の外周に沿って嵌合させた状態で、ハンドル部材及びアタッチメントを枠体及び框体のいずれか一方に取り付けることができるため、取り付ける際の作業性が良い。
【００１５】
また、本発明に係る補助錠の施工方法は、枠体と、該枠体の内部に開閉自在に設けられた障子と、を備える建具の前記枠体及び前記障子の框体のいずれか一方に、補助錠を取り付ける補助錠の建具への取付方法であって、前記枠体及び前記框体の他方に係止可能なロック部が設けられた基部を前記枠体及び前記框体のいずれか一方に設けられた取付孔内に取り付けるロック部材取付工程と、前記ロック部を操作可能な操作ハンドルを有するハンドル部材にアタッチメントを嵌合させる嵌合工程と、前記取付孔内に、前記アタッチメントが嵌合した前記ハンドル部材を配置して、前記アタッチメントが前記ハンドル部材から離間する方向に押圧するように取り付けるハンドル部材取付工程と、を備えることを特徴とする。
【００１６】
このように構成された補助錠の施工方法では、アタッチメントがロック部材の基部をハンドル部材から離間する方向に押圧するため、補助錠が設けられる枠体及び框体のいずれか一方から補助錠が浮き上がることが抑制される。また、ハンドル部材は取付孔に配置される構成であればよく、ハンドル部材とアタッチメントとは別体であるため、アタッチメントとは別体であるハンドル部材のみを容易に取り外すことができる。
また、アタッチメントはハンドル部材に嵌合された状態で、取付孔内に配置されるため、アタッチメントをハンドル部材と別で配置するよりも作業性が良い。
【発明の効果】
【００１７】
本発明に係る建具及び補助錠の建具への取付方法によれば、補助錠の浮き上がりを抑制することができるとともに、ハンドル部材を容易に取り外すことができる。
【図面の簡単な説明】
【００１８】
【図１】本発明の一実施形態に係る縦辷り出し窓を屋内側から見た正面図である。
【図２】図１をＸ−Ｘで切断した鉛直断面図である。
【図３】図２をＹ−Ｙで切断した水平断面図である。
【図４】本発明の一実施形態に係る縦辷り出し窓における補助錠の取付構成を説明する図であり、水平断面図である。
【図５】本発明の一実施形態に係る縦辷り出し窓の補助錠を分解した分解斜視図である。
【図６】本発明の一実施形態に係る縦辷り出し窓の補助錠のアタッチメント及びハンドル部材を裏側から見た斜視図である。
【図７】本発明の一実施形態に係る縦辷り出し窓の補助錠のアタッチメント及びハンドル部材の水平断面図である。
【図８】本発明の一実施形態に係る縦辷り出し窓の補助錠において、ハンドル部材からアタッチメントを取り外した状態を表側から見た斜視図である。
【図９】本発明の一実施形態に係る縦辷り出し窓の補助錠において、ハンドル部材からアタッチメントを取り外した状態を裏側から見た斜視図である。
【図１０】本発明の一実施形態に係る縦辷り出し窓の補助錠を、枠体に取り付ける工程を示す図である。
【図１１】本発明の一実施形態に係る縦辷り出し窓のハンドル部材を、枠体から取り外す工程を示す図である。
【発明を実施するための形態】
【００１９】
以下、本発明の一実施形態による建築物の開口部に設けられる建具の一例として、縦辷り出し窓を図１から図１１に基づいて説明する。
図１は、本発明の一実施形態に係る縦辷り出し窓を屋内側から見た正面図である。図２は、図１をＸ−Ｘで切断した鉛直断面図である。図３は、図２をＹ−Ｙで切断した水平断面図である。
図１から図３に示すように、縦辷り出し窓１００は、建築物の開口部に設けられ、四角形枠状に形成された枠体１と、枠体１内に上下方向を軸線方向として回動可能に納められた障子３と、を備えている。
なお、以下の説明において、屋外側と屋内側とを結ぶ方向を見込み方向と称する。障子３の上下方向と交差して障子３に沿う左右方向を見付け方向と称する。また、見付け方向において、障子３から離間する方向を外側と称し、障子３に近接する方向を内側と称する。
【００２０】
枠体１は、水平方向に延在する上枠１１及び下枠１２と、上枠１１の両端部と下枠１２の両端部とをそれぞれ連結し上下方向に延在する縦枠１３と、を有している。
【００２１】
図２に示すように、上枠１１は、屋外側に設けられ金属製の金属上枠１１Ａと、屋内側に設けられ樹脂製の樹脂上枠１１Ｂと、を有している。金属上枠１１Ａと樹脂上枠１１Ｂとは連結されている。
【００２２】
下枠１２は、屋外側に設けられ金属製の金属下枠１２Ａと、屋内側に設けられ樹脂製の樹脂下枠１２Ｂと、を有している。金属下枠１２Ａと樹脂下枠１２Ｂとは連結されている。
【００２３】
樹脂下枠１２Ｂには、障子３を開閉操作するメインハンドル１６が設けられている。メインハンドル１６と障子３とは不図示の開閉機構により連結されている、開閉機構により、メインハンドル１６を所定方向（図３に示す二点鎖線）に回転させることにより障子３が開くとともに、メインハンドル１６を所定方向と反対方向に回転させることにより障子３が閉じるように構成されている。
【００２４】
図３に示すように、縦枠１３は、屋外側に設けられ金属製の金属縦枠１３Ａと、屋内側に設けられ樹脂製の樹脂縦枠１３Ｂと、を有している。金属縦枠１３Ａと樹脂縦枠１３Ｂとは連結されている。縦枠１３には、詳細については後述するサブロック（補助錠）４が設けられている。
【００２５】
図１から図３に示すように、障子３は、四角形状に形成された框体３０と、框体３０内に嵌め込まれた例えばペアガラス等の複層ガラス３６と、を有している。
【００２６】
框体３０は、水平方向に延在する上框３１及び下框３２と、上框３１の両端部と下框３２の両端部とをそれぞれ連結し上下方向に延在する縦框３３と、を有している。
【００２７】
上框３１、下框３２及び縦框３３には、複層ガラス３６から離間するように凹む断面視コ字状のガラス保持溝１７が形成されている。複層ガラス３６の四辺の端部は、断面略Ｕ字状のグレージングチャンネル３７を介して、ガラス保持溝１７に収容されている。
【００２８】
次に、サブロック４の縦枠１３への取付構成について詳細に説明する。
図４は、サブロック４の取付構成を説明する図であり、水平断面図である。
まず、サブロック４が取り付けられる縦枠１３の構成について説明する。
図４に示すように、金属縦枠１３Ａは、上下方向に延び、見込み方向に沿って配置された金属見込み面部２１と、金属見込み面部２１から障子３（図３参照。以下同じ。）側に延びる金属取付壁部２２及び金属屋内側壁部２３と、を有している。金属取付壁部２２及び金属屋内側壁部２３は、上下方向に延び、左右方向に沿って配置されている。金属取付壁部２２は、金属屋内側壁部２３よりも屋外側に配置されている。
【００２９】
金属取付壁部２２の先端部には、上下方向に延び、見込み方向に沿って配置された金属係止壁部２４が設けられている。
【００３０】
樹脂縦枠１３Ｂは、上下方向に延び、見込み方向に沿って配置される樹脂見込み面部２６と、樹脂見込み面部２６から障子３と反対側に延びる樹脂第一係止部２７及び樹脂第二係止部２８と、を有している。樹脂第一係止部２７は、樹脂第二係止部２８よりも屋内側に配置されている。
【００３１】
樹脂見込み面部２６には、左右方向に貫通する取付孔２６ｈが形成されている。取付孔２６ｈには、後述するサブロック４が配置されている。
【００３２】
樹脂第一係止部２７は、金属縦枠１３Ａの金属屋内側壁部２３に係止されている。樹脂第二係止部２８は、金属縦枠１３Ａの金属係止壁部２４に係止されている。このようにして、金属縦枠１３Ａと樹脂縦枠１３Ｂとは連結されている。
【００３３】
図５は、サブロック４を分解した分解斜視図である。
図４及び図５に示すように、サブロック４は、取付孔２６ｈ内に配置されるロック部材４０と、ロック部材４０を見付け方向の外側に押圧するアタッチメント５０と、ロック部材４０を操作可能なハンドル部材６０と、を有している。
【００３４】
ロック部材４０は、基部プレート（基部）４１と、鎌錠（ロック部）４２と、取付部４３と、を有している。
【００３５】
基部プレート４１は、板状に形成され、見込み方向に沿って配置されている。基部プレート４１は、樹脂縦枠１３Ｂの取付孔２６ｈの見付け方向の外側に配置されている。鎌錠４２は、基部プレート４１に回動可能に設けられている（図２の破線参照）。
【００３６】
取付部４３は、基部プレート４１の屋外側の端部に設けられ、金属縦枠１３Ａの金属取付壁部２２に螺子（不図示）で螺合されている。つまり、基部プレート４１では、屋外側の端部４１ａは固定端とされ、屋内側の端部４１ｂは自由端とされている。
【００３７】
図６は、サブロック４のアタッチメント５０及びハンドル部材６０を裏側から見た斜視図である。図７は、サブロック４のアタッチメント５０及びハンドル部材６０の水平断面図である。図８は、ハンドル部材６０からアタッチメント５０を取り外した状態を表側から見た斜視図である。図９は、ハンドル部材６０からアタッチメント５０を取り外した状態を裏側から見た斜視図である。
図６及び図７に示すように、アタッチメント５０はハンドル部材６０の外周に沿って嵌合されている。
図６から図９に示すように、アタッチメント５０は、見込み方向に離間して配置された一対の係合面部５１と、係合面部５１の見付け方向の外側の端部どうしを連結する一対の連結面部５３と、を有している。
【００３８】
各係合面部５１は、板状に形成されている。図７に示すように、各係合面部５１は、連結面部５３側に接続され、見付け方向の内側に向かいにしたがって次第に対向する係合面部５１から離間するように配置されて傾斜壁部５１ａと、傾斜壁部５１ａの端部から鉛直面に沿って配置された鉛直壁部５１ｂと、を有している。
【００３９】
各鉛直壁部５１ｂの見付け方向の内側の端部には、対向する鉛直壁部５１ｂ側及び見込み方向の外側に切り欠かれた切欠き部（係止部）５２が設けられている。
【００４０】
一対の連結面部５３は、板状に形成され、水平面に沿って配置され、上下方向に離間して配置されている。
【００４１】
図８及び図９に示すように、アタッチメント５０では、係合面部５１及び連結面部５３の見付け方向の外側に開口部５４が形成されている。
【００４２】
図５に示すように、ハンドル部材６０は、縦枠１３内に配置される筐体６１と、筐体６１に設けられた凹部６７に収容可能とされた操作ハンドル８０と、を有している。
【００４３】
図５、図８及び図９に示すように、筐体６１は、見込み方向に離間して配置されて一対の側壁６２と、一対の側壁６２の上下端部をそれぞれ連結する上壁６３及び下壁６４と、側壁６２、上壁６３及び下壁６４を連結する底壁６５及びフランジ６６と、を有している。見付け方向の内側では、側壁６２、上壁６３、下壁６４、底壁６５及びフランジ６６により、凹部６７が形成されている。
【００４４】
各側壁６２の見付け方向の外側の端部には、見付け方向の内側に向かって切り欠かれたスリット６２ａが形成されている。各側壁６２には、スリット６２ａが、上下方向に離間して一対形成されている。
【００４５】
側壁６２の外面に沿って、アタッチメント５０の係合面部５１が配置されている。スリット６２ａにアタッチメント５０の連結面部５３が配置されている。これにより、アタッチメント５０とハンドル部材６０との上下方向の相対移動が規制される。
【００４６】
筐体６１には、見付け方向の外側に延びる突出部７１が設けられている。突出部７１は、ロック部材４０の基部プレート４１に設けられた挿通孔４１ｈ（図５参照）に挿通されている。これにより、ハンドル部材６０とロック部材４０との上下方向及び左右方向の相対移動が規制されている。
【００４７】
図９に示すように、一対の側壁６２どうしは、複数のリブ７２で連結されている。アタッチメント５０が配置される箇所では、リブ７２に見付け方向に延びる筒状の筒状部７３が設けられている。筒状部７３は、底壁６５に設けられた螺子孔６５ｈ（図５参照）に連通している。図５及び図９に示すように、螺子孔６５ｈから挿通された螺子６５ｚは、筒状部７３に挿通され、ロック部材４０の基部プレート４１に設けられた螺子孔４１ｊに螺合されている。これにより、ハンドル部材６０がロック部材４０に固定されている。
【００４８】
図５に示すように、操作ハンドル８０は、筐体６１の凹部６７に配置可能とされている。図５及び図９に示すように、操作ハンドル８０には、筐体６１の底壁６５に設けられた操作孔４１ｋに回動可能に挿通された操作軸８１が設けられている。操作軸８１は、ロック部材４０の基部プレート４１に設けられた操作孔４１ｋに、鎌錠４２（図４参照）を操作可能に挿通されている。
【００４９】
図２に示すように、操作ハンドル８０が鉛直方向を向く状態で、鎌錠４２は障子３側に突出して縦框３３（図３参照）に係止され、障子３は施錠される（図２の破線参照）。一方、図５に示すように、操作ハンドル８０を筐体６１の凹部６７から取り出して操作軸８１を基端として正面視で反時計回り（図２の二点鎖線、図５参照）に回動させると、鎌錠４２は縦枠１３内に没入して縦框３３との係止が解除され、障子３は開錠される。
【００５０】
アタッチメント５０の係合面部５１がハンドル部材６０の側壁６２に沿って配置されるともに、アタッチメント５０の連結面部５３がハンドル部材６０のスリット６２ａに配置されて、アタッチメント５０はハンドル部材６０に嵌合されている。
【００５１】
図４に示すように、アタッチメント５０が嵌合されたハンドル部材６０がロック部材４０に固定された状態で、アタッチメント５０の切欠き部５２は、樹脂縦枠１３Ｂの樹脂見込み面部２６の取付孔２６ｈの縁に係止されている。アタッチメント５０は見付け方向の内側が係止された状態であるため、連結面部５３の見付け方向の外側の端部はロック部材４０の基部プレート４１を見付け方向の外側（ハンドル部材６０から離間する方向）に確実に押圧している。ロック部材４０の基部プレート４１の自由端とされている屋内側の端部４１ｂが見付け方向の内側に変位している場合でも、アタッチメント５０が見付け方向の外側に押圧することで、基部プレート４１が所望の位置に配置されるとともに、ハンドル部材６０のフランジ６６が樹脂縦枠１３Ｂの樹脂見込み面部２６から見付け方向の内側には離間した（浮いた）状態となくことがなく、フランジ６６は樹脂見込み面部２６に沿って配置される。
【００５２】
次に、上記のサブロック４を縦枠１３に取り付ける取付方向について説明する。
図１０は、サブロック４を、縦枠１３に取り付ける工程を示す図である。
まず、ロック部材取付工程を行う。
図１０に示すように、ロック部材４０の取付部４３を、金属縦枠１３Ａの金属取付壁部２２に螺子（不図示）で螺合する。
【００５３】
次に、嵌合工程を行う。
アタッチメント５０を、ハンドル部材６０の外周に沿って嵌合または軽く嵌合させる。
【００５４】
次に、ハンドル部材取付工程を行う。
アタッチメント５０が嵌合したハンドル部材６０を、樹脂縦枠１３Ｂの取付孔２６ｈ内に挿入する。図４に示すように、アタッチメント５０がロック部材４０の基部プレート４１に当接する位置まで挿入して、ハンドル部材６０の螺子孔６５ｈに螺子６５ｚを挿通して、ロック部材４０の基部プレート４１の螺子孔４１ｊに螺合する。このとき、アタッチメント５０の切欠き部５２は、樹脂縦枠１３Ｂの樹脂見込み面部２６の取付孔２６ｈの縁に係止される。これにより、サブロック４は縦枠１３に固定される。
【００５５】
図１１は、ハンドル部材６０を、縦枠１３から取り外す工程を示す図である。
メンテナンスの際等に、サブロック４のハンドル部材６０を縦枠１３から取り外す際には、螺子６５ｚを緩めて、ハンドル部材６０を樹脂縦枠１３Ｂの取付孔２６ｈから引き抜く。このとき、アタッチメント５０の切欠き部５２は、樹脂縦枠１３Ｂの樹脂見込み面部２６の取付孔２６ｈの縁に係止されているため、アタッチメント５０は樹脂縦枠１３Ｂの取付孔２６ｈに残って（配置されて）いる。
【００５６】
このように構成された縦辷り出し窓１００では、アタッチメント５０がサブロック４の基部プレート４１を見付け方向の外側に押圧するため、縦枠１３からサブロック４が浮き上がることが抑制される。また、ハンドル部材６０は取付孔２６ｈに配置される構成であればよく、例えばハンドル部材６０自体を縦枠1３に係止させる必要がなく、ハンドル部材６０とアタッチメント５０とは別体であるため、ハンドル部材６０のみを容易に取り外すことができる。
【００５７】
また、アタッチメント５０には縦枠１３に係止可能な切欠き部５２が設けられている。よって、アタッチメント５０が縦枠１３に係止されたた状態で、アタッチメント５０がサブロック４の基部プレート４１を見付け方向の外側に押圧するため、縦枠１３からサブロック４が浮き上がることが確実に抑制される。
【００５８】
また、アタッチメント５０を操作ハンドル８０の筐体６１の外周に沿って嵌合させた状態で、ハンドル部材６０及びアタッチメント５０を枠体１及び框体３０のいずれか一方に取り付けることができるため、取り付ける際の作業性が良い。
【００５９】
なお、上述した実施の形態において示した各構成部材の諸形状や組み合わせ等は一例であって、本発明の主旨から逸脱しない範囲において設計要求等に基づき種々変更可能である。
【００６０】
例えば、上記に示す実施形態では、サブロック４は縦枠１３に設けられているが、本発明はこれに限られない。サブロック４は、上枠１１や下枠１２に設けられていてもよく、あるいは縦框３３等の框体３０に設けられていてもよい。
【符号の説明】
【００６１】
１…枠体
３…障子
４…サブロック（補助錠）
１１…上枠
１２…下枠
１３…縦枠
１３Ａ…金属縦枠
１３Ｂ…樹脂縦枠
１６…メインハンドル
２２…金属取付壁部
２６…樹脂見込み面部
２６ｈ…取付孔
３０…框体
３１…上框
３２…下框
３３…縦框
３６…複層ガラス
４０…ロック部材
４１…基部プレート（基部）
４２…鎌錠（ロック部）
４３…取付部
５０…アタッチメント
５１…係合面部
５２…切欠き部（係止部）
５３…連結面部
６０…ハンドル部材
６１…筐体
６６…フランジ
８０…操作ハンドル
１００…縦辷り出し窓
【図１】
2018091054.tif 000003
【図２】
2018091054.tif 000004
【図３】
2018091054.tif 000005
【図４】
2018091054.tif 000006
【図５】
2018091054.tif 000007
【図６】
2018091054.tif 000008
【図７】
2018091054.tif 000009
【図８】
2018091054.tif 000010
【図９】
2018091054.tif 000011
【図１０】
2018091054.tif 000012
【図１１】
2018091054.tif 000013